(57)【要約】【課題】簡単な構成で、一種類のもので二種類の扉厚範囲に対応できること。【解決手段】円形のリング状のカラー２であって、厚さ方向の中心位置より偏った位置に設けたフランジ部により、浅い底部２０と深い底部２１とを形成することにより、向きを変えて使用することにより、一種類のカラーで二種類の扉厚範囲に対応できるようにした。【選択図】図３
2015165080.tif 000002
【特許請求の範囲】
【発明の詳細な説明】
【技術分野】
【０００１】  本発明は扉錠の、扉厚調整用のカラーに関するもので、一種類のカラーで二種類の扉厚範囲に対応できるようにしたものである。
【背景技術】
【０００２】  従来の扉錠は、扉厚の変化に対応する為には、扉錠の取付柱の長さを変化させて対応していた。即ち、二種類の扉厚範囲に対応する為には、二種類の長さの取付柱を設けた扉錠を用意する必要があった。
【発明が解決しようとする課題】
【０００３】  上記従来の扉錠では、ネジ穴を有する取付柱自体の制作費が高価であるばかりでなく、それを、扉錠に固定する工程も必要であるうえに、二種類の扉錠を在庫管理する必要があり、結果として高価なものとなった。
【課題を解決する為の手段】
【０００４】  本発明は、上記の実状に鑑みてなされたものであり、一種類のカラーで向きを変えて使用することにより、二種類の扉厚範囲に対応できるようにしたものである。
また、カラーはステンレス製などの薄い鋼板をプレス加工などにより安価に作成することができるようにしたものである。
【発明の効果】
【０００５】  本発明の扉厚調整用のカラーによれば、ステンレス製などの薄い鋼板をプレス加工などにより安価に作成できると共に、一種類のカラーで向きを変えて使用することにより二種類の扉厚範囲に対応できるようにしたものである。従って、このカラーをセットした扉錠は一種類用意しておけば、二種類の扉厚範囲に対応できるので、従来の如く二種類の扉錠を用意する必要もなく、全体として非常に安価な扉錠を提供できる。
【図面の簡単な説明】
【０００６】
【図１】本発明の扉厚調整用のカラーを使した扉錠の取付状態を示す、扉の開放端側からの側面図である。
【図２】図１の室外側からの正面図である。
【図３】図２の要部縦断側面図である。
【図４】図３の使用状態のカラーを示すもので、ａは、室内側のカラーの正面図で、ｂはその縦断側面図である。ｃは、室外側のカラーの正面図で、ｄはその縦断側面図である。
【図５】室内側および室外側のカラーを、各々逆向きにして使用した場合の要部縦断側面図である。
【図６】図５の使用状態のカラーを示すもので、ａは、室内側のカラーの正面図で、ｂはその縦断側面図である。ｃは、室外側のカラーの正面図で、ｄはその縦断側面図である。
【発明を実施する為の形態】
【０００７】  本発明の扉厚調整用のカラーの実施例を図面に基づいて、以下に説明する。
【０００８】  図１は、本発明の扉厚調整用のカラー２を使用した扉錠１の扉Ｄへの取付状態を示す側面図であり、３は室外側のシリンダー錠で５は室内側のサムターンである。
【０００９】  図２は、図１の室外側からの正面図であり、４はシリンダー錠３の内筒で、８は扉錠１の錠ケース、１０は錠杆、１１はフロントである。
【００１０】  図３は、図１の要部縦断側面図であり、シリンダー錠３およびサムターン５がカラー２，２を介して扉Ｄに取り付けられている。
８は扉錠１の錠ケースで、シリンダー錠３に固定された取付柱７，７が室外側から挿通され、その端部のネジ穴に室内側からサムターン５に設けた取付穴からネジ７０，７０がネジ込まれて、シリンダー錠３とサムターン５が取り付け固定される。
【００１１】  ６はサムターン５の摘みであり、その回動軸の先端部６０は錠ケース８内の錠杆１０を出没作動させるハブ（図示せず）に係合される。
また、そのハブには反対の室外側からのシリンダー錠３の内筒４の先端部４０が係合される。
そのようにして、サムターン５の摘み６の回動操作あるいはシリンダー錠３の内筒４の合鍵の操作により、ハブを回動して錠杆１０を出没作動させて施錠、解錠する。
【００１２】  ２，２はシリンダー錠３およびサムターン５と扉Ｄとの間に介在させた扉厚調整用のカラーであり、図３の状態ではカラー２の浅い底部２０，２０にシリンダー錠３の底部３０およびサムターン５底部５０が当接している。
この図３の状態の扉厚寸法を例えば２８ｍｍとすると、図３のカラー２，２の状態では扉厚範囲は２８ｍｍ〜３３ｍｍの範囲で対応できる。
（この点、従来でも一種類の長さの取付柱で、一種類の扉厚範囲に対応できるので同じである。）
【００１３】  図４はカラー２，２の詳細を示す図面で、図４ａは室内側のサムターン５と扉Ｄとの間に介在させるカラー２の室内側から見た正面図で、図４ｂはその縦断側面図である。また、図４ｃは室外側のシリンダー錠３と扉Ｄとの間に介在させるカラー２の室外側から見た正面図で、図４ａはその縦断側面図である。
ところで、室内側および室外側のカラー２，２は同じものであり一種類のカラー２を室内側および室外側に共用できる。
【００１４】  上記カラー２は、ステンレス製の薄い鋼板をプレス加工により円形のリング状に加工し、図４のｂに示すようにカラー２の高さ寸法の中心位置より偏った位置にフランジを設けることにより、浅い底部２０と深い底部２１とが形成される。
２２はカラー２のフランジ部の中央に形成した穴であり、取り付け時にシリンダー錠３の取付柱７，７や内筒４の先端部４０およびサムターン５の摘み６の先端部６０などが挿通される。
【００１５】  図３の状態では、カラー２を室内側と室外側とに使用しており、各々浅い底部２０，２０がサムターン５の底部５０およびシリンダー錠３の底部３０に当接するようにして、扉Ｄとサムターン５およびシリンダー錠３との間に介在させて取り付けられる。
尚、図４のａに示されているように、カラー２の浅い底部２０のフランジ部に２８〜３３という数字を刻印しておけば、取り付け時に扉厚に対応してカラー２を適確に正しい向きで選択して使用することができる。
【００１６】  次に図５は扉厚が３６ｍｍと厚くなった場合の取り付け状態を示すものであり、この場合はカラー２，２の深い底部２１，２１がサムターン５およびシリンダー錠３の底部５０および３０が当接するようにして取り付ける。
尚、この深い底部の方にも扉厚範囲を例えば３３〜４３と刻印してもよく、刻印を省略してもよく、前記の扉厚範囲とは異なることが判別できる。
カラー２，２を上記のようにして使用した図５の状態では、扉厚は３３ｍｍ〜４３ｍｍの範囲で対応できる。
【００１７】  従来では、上記の厚い扉厚の範囲に対応できるようにする為には、シリンダー錠３の取付柱７，７は長いものを用意する必要があった。
【００１８】  上記の通り、本発明の扉厚調整用のカラー２，２は一種類のもので、単に向きを変えて使用する事により、二種類の扉厚範囲に対応できるので極めて便利であると共に、
カラー２はステンレス製の薄い鋼板よりプレス加工などで安価に作成することができ、全体として極めて安価な扉錠を提供することができる。
【００１９】  その他、上記の実施例ではカラー２は一種類のみを示したが、更にフランジ部の深さの異なるものを一種類用意することにより、四種類の扉厚範囲に対応することができる。
【変形例など】
【００２０】  上記の実施例では、カラー２はプレス加工により作成した場合を示したが、例えば樹脂成型品などで作成することも可能である。
【符号の説明】
【００２１】１      扉錠
２      カラー
２０    浅い底部
２１    深い底部
３      シリンダー
４      内筒
５      サムターン
６      摘み
７      取付柱
８      錠ケース
１０    錠杆
Ｄ      扉
【図１】
2015165080.tif 000003
【図２】
2015165080.tif 000004
【図３】
2015165080.tif 000005
【図４】
2015165080.tif 000006
【図５】
2015165080.tif 000007
【図６】
2015165080.tif 000008
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
扉と扉錠のシリンダー錠またはサムターンとの間に介在させることにより、扉厚を調整できるようにしたリング状のカラーであって、その高さ寸法の中心位置から偏った位置にフランジ部を設けることにより、浅い底部と深い底部とを形成し、
該カラーの向きを変えて使用することにより、二種類の扉厚範囲に対応できるようにしたことを特徴とする扉厚調整用のカラー。